(57)【要約】【課題】  操舵トルクセンサからの入力に障害が発生したときに、レーンキープアシスト機能による操舵違和感を低減する【解決手段】  車両の前輪６を転舵するステアリングモータ１０と、操舵トルクを検出する操舵トルクセンサ１６と、操舵トルクに応じてステアリングモータ１０のＥＰＳアシスト目標電流を算出するＥＰＳアシストトルク算出部と、車両と車両進行方向車線との位置関係に応じてステアリングモータ１０のＬＫＡＳアシスト目標電流を算出するＬＫＡＳアシストトルク算出部と、目標電流を補正するための補正係数を算出する補正係数算出部と、を備え、操舵トルクが基準範囲内の状態が第１設定時間以上継続したときに、第１設定時間を超えた継続時間に応じて前記補正係数を低減する。【選択図】    図１
2006240353.tif 000002
【特許請求の範囲】
【請求項１】
車両の転舵輪を転舵する転舵アクチュエータと、
運転者の操舵入力を検出する操舵入力検出手段と、
前記操舵入力検出手段で検出された操舵入力に応じて前記転舵アクチュエータに対する目標制御量を算出する第１制御手段と、
前記車両と車両進行方向車線との位置関係を認識し該位置関係に応じて算出される補正値に基づいて前記目標制御量を補正する第２制御手段と、
を備え、前記目標制御量にしたがって前記転舵アクチュエータを制御する車両用操舵装置において、
前記操舵入力検出手段で検出された操舵入力が基準範囲内の状態が第１設定時間以上継続したときに、前記第１設定時間を超えた継続時間に応じて前記第２制御手段の補正量を低減することを特徴とする車両用操舵装置。
【請求項２】
前記操舵入力検出手段で検出された操舵入力が前記基準範囲内の状態が第１設定時間よりも長い第２設定時間以上継続したときには、前記操舵入力検出手段または操舵入力検出手段からの入力に障害があると判定し、前記第２制御手段による補正を停止することを特徴とする請求項１に記載の車両用操舵装置。
【請求項３】
前記操舵入力検出手段で検出された操舵入力が前記第１設定時間から第２設定時間の間に前記基準範囲から外れたときには、前記第２制御手段の補正量を徐々に前記第１設定時間経過前の通常の補正量に戻していくことを特徴とする請求項２に記載の車両用操舵装置。
【請求項４】
前記操舵入力検出手段で検出された操舵入力が前記第１設定時間から第２設定時間の間に前記基準範囲から外れた度合いが大きいほど、前記通常の補正量に戻るまでの時間を短くすることを特徴とする請求項２に記載の車両用操舵装置。
【請求項５】
前記第２制御手段の補正量を前記通常の補正量に戻している状態であるときに、前記操舵入力検出手段で検出された操舵入力が前記基準範囲内となった場合には、該基準範囲内となってから前記第１設定時間よりも短い所定時間経過後に該基準範囲内になってからの継続時間に応じて前記第２制御手段の補正量を低減することを特徴とする請求項３に記載の車両用操舵装置。
【発明の詳細な説明】
【技術分野】
【０００１】
この発明は、車両用操舵装置に関するものである。
【背景技術】
【０００２】
運転者の操舵に関する負担を軽減する装置として、運転者がステアリングホイールを操作したときに操舵力をアシストする周知のパワーステアリング装置や、車両進行方向道路の車線を検知し該車線に沿って車両が走行するように操舵を補助する操舵装置（以下、レーンキープ・アシストシステム、略してＬＫＡＳと称す）が知られている。
一般に、パワーステアリング装置はステアリングモータ（転舵アクチュエータ）によって補助操舵力を発生させるが、このステアリングモータをレーンキープ・アシストシステムのアシスト用アクチュエータとして兼用する場合がある（例えば、特許文献１参照）。
この場合、パワーステアリング装置においては、操舵入力（例えば、操舵トルク）に応じてステアリングモータの目標電流（目標制御量）を算出してステアリングモータを制御しており、レーンキープ・アシストシステムを作動させるときには、車両と車線の位置関係に応じて算出された補正値に基づいて前記目標電流を補正している。
【特許文献１】特許第３３１４８６６号公報
【発明の開示】
【発明が解決しようとする課題】
【０００３】
このようにパワーステアリング装置とレーンキープ・アシストシステムのアクチュエータを兼用した場合に、操舵入力を検出する操舵入力検出手段（例えば、操舵トルクセンサ）の出力信号線が破断してショートするなどの故障により、操舵入力検出手段から制御装置への入力信号が殆どゼロになると、運転者がハンドル操作に違和感を覚える虞がある。
【０００４】
詳述すると、操舵入力検出手段の出力信号に基づいてステアリングモータの目標電流（すなわち、アシスト量）を決定するパワ−アシスト機能では、操舵入力検出手段から制御装置への入力信号が殆どゼロになると、ステアリングモータの目標電流はほぼゼロに設定される。一方、このようなときであっても、レーンキープアシスト機能では、車両と車線との位置関係に応じて算出された補正値に基づいて目標電流の補正を行う。そのため、パワ−アシスト機能が殆ど喪失されているときに、例えば車両が車線の右側に寄り過ぎているため、レーンキープアシスト機能によって車両を車線中央方向に戻すように操舵アシストが行われると、運転者がハンドルを右に切っているときにはパワ−アシスト機能が機能していないときよりもさらに操舵が重く感じられ、運転者がハンドルを左に切っているときには操舵が軽く感じられて、運転者が違和感を覚えることがある。
【０００５】
そこで、この発明は、レーンキープ・アシストシステムの作動時に故障によって操舵入力の検出が困難になったときにも操舵に違和感が感じられない車両用操舵装置を提供するものである。
【課題を解決するための手段】
【０００６】
上記課題を解決するために、請求項１に係る発明は、車両の転舵輪を転舵する転舵アクチュエータ（例えば、後述する実施例におけるステアリングモータ１０）と、運転者の操舵入力（例えば、後述する実施例における操舵トルク）を検出する操舵入力検出手段（例えば、後述する実施例における操舵トルクセンサ１６）と、前記操舵入力検出手段で検出された操舵入力に応じて前記転舵アクチュエータに対する目標制御量（例えば、後述する実施例におけるＥＰＳアシスト目標電流Ｉａ）を算出する第１制御手段（例えば、後述する実施例におけるＥＰＳアシストトルク算出部４１）と、前記車両と車両進行方向車線との位置関係を認識し該位置関係に応じて算出される補正値（例えば、後述する実施例におけるＬＫＡＳアシスト目標電流ＩＬ）に基づいて前記目標制御量を補正する第２制御手段（例えば、後述する実施例におけるＬＫＡＳアシストトルク算出部４２、補正係数算出部４３）と、を備え、前記目標制御量にしたがって前記転舵アクチュエータを制御する車両用操舵装置において、前記操舵入力検出手段で検出された操舵入力が基準範囲内の状態が第１設定時間以上継続したときに、前記第１設定時間を超えた継続時間に応じて前記第２制御手段の補正量を低減することを特徴とする。
このように構成することにより、操舵入力検出手段で検出された操舵入力が基準範囲内の状態が第１設定時間以上継続したときは、何らかの原因により操舵入力検出手段からの入力に障害があると疑われるので、このときには前記第２制御手段の補正量を低減することで、車両と車両進行方向車線との位置関係に基づく転舵アクチュエータに対する制御への影響を弱めることができる。
【０００７】
請求項２に係る発明は、請求項１に記載の発明において、前記操舵入力検出手段で検出された操舵入力が前記基準範囲内の状態が第１設定時間よりも長い第２設定時間以上継続したときには、前記操舵入力検出手段または操舵入力検出手段からの入力に障害があると判定し、前記第２制御手段による補正を停止することを特徴とする。
このように構成することにより、操舵入力検出手段または操舵入力検出手段からの入力に障害があるか否かを高精度で判定することができ、障害があると判定されたときには、車両と車両進行方向車線との位置関係に基づく転舵アクチュエータに対する制御への影響をなくすことができる。
【０００８】
請求項３に係る発明は、請求項２に記載の発明において、前記操舵入力検出手段で検出された操舵入力が前記第１設定時間から第２設定時間の間に前記基準範囲から外れたときには、前記第２制御手段の補正量を徐々に前記第１設定時間経過前の通常の補正量に戻していくことを特徴とする。
このように構成することにより、入力障害の疑いがなくなった時点で、転舵アクチュエータの制御を通常の状態に迅速に復帰することができる。
【０００９】
請求項４に係る発明は、請求項３に記載の発明において、前記操舵入力検出手段で検出された操舵入力が前記第１設定時間から第２設定時間の間に前記基準範囲から外れた度合いが大きいほど、前記通常の補正量に戻るまでの時間を短くすることを特徴とする。
このように構成することにより、入力障害の疑いが晴れた時点で、転舵アクチュエータの制御を通常の状態に、より迅速に復帰することができる。
【００１０】
請求項５に係る発明は、請求項３に記載の発明において、前記第２制御手段の補正量を前記通常の補正量に戻している状態であるときに、前記操舵入力検出手段で検出された操舵入力が前記基準範囲内となった場合には、該基準範囲内となってから前記第１設定時間よりも短い所定時間経過後に該基準範囲内になってからの継続時間に応じて前記第２制御手段の補正量を低減することを特徴とする。
このように構成することにより、第２制御手段の補正量を通常の補正量に戻している状態であるときに、操舵入力検出手段で検出された操舵入力が基準範囲内となった場合には、早めに第２制御手段の補正量を低減することで、車両と車両進行方向車線との位置関係に基づく転舵アクチュエータに対する制御への影響を迅速に弱めることができる。
【発明の効果】
【００１１】
請求項１に係る発明によれば、操舵入力検出手段からの入力に障害があると疑われるときに、車両と車両進行方向車線との位置関係に基づく転舵アクチュエータに対する制御への影響を弱めることができる。
請求項２に係る発明によれば、操舵入力検出手段または操舵入力検出手段からの入力に障害があるか否かを高精度で判定することができるので、誤判定を防止することができる。また、前記障害があると判定されたときには、車両と車両進行方向車線との位置関係に基づく転舵アクチュエータに対する制御への影響をなくすことができるので、操舵入力検出手段からの入力に障害が発生したときに、レーンキープアシスト機能による操舵違和感を低減することができる。
請求項３あるいは請求項４に係る発明によれば、入力障害の疑いがなくなった時点で、転舵アクチュエータの制御を通常の状態に迅速に復帰することができる。
請求項５に係る発明によれば、入力障害の疑いが複数回目のときに、車両と車両進行方向車線との位置関係に基づく転舵アクチュエータに対する制御への影響を迅速に弱めることができる。
【発明を実施するための最良の形態】
【００１２】
以下、この発明に係る車両用操舵装置の一実施例を図１から図５の図面を参照して説明する。
この車両用操舵装置は、運転者がステアリングホイールを操作したときに操舵力をアシストする所謂パワーステアリング装置としての機能（以下、パワーアシスト機能という）と、車両進行方向道路の車線に沿って車両が走行するように操舵を補助する機能（以下、レーンキープアシスト機能という）を備えている。
【００１３】
図１に示すように、この車両用操舵装置は手動操舵力発生機構１を備えており、この手動操舵力発生機構１は、ステアリングホイール（操作子）３に一体結合されたステアリングシャフト４が、ユニバーサルジョイントを有する連結軸５を介してラック＆ピニオン機構のピニオン６に連結されて構成されている。ピニオン６は、車幅方向に往復動し得るラック軸７のラック７ａに噛合し、ラック軸７の両端には、タイロッド８，８を介して転舵輪としての左右の前輪９，９が連結されている。この構成により、ステアリングホイール３の操舵時に通常のラック＆ピニオン式の転舵操作が可能であり、前輪９，９を転舵させて車両の向きを変えることができる。ラック軸７とタイロッド８，８は転舵機構を構成する。
【００１４】
また、ラック軸７と同軸上に、パワーアシスト用アクチュエータとレーンキープアシスト用アクチュエータを兼ねたステアリングモータ（アクチュエータ）１０が配設されている。このステアリングモータ１０により供給される補助操舵力は、ラック軸７に対してほぼ平行に設けられたボールねじ機構１２を介して推力に変換され、ラック軸７に作用せしめられる。そのために、ラック軸７を挿通させたステアリングモータ１０のロータに駆動側ヘリカルギヤ１１を一体的設け、この駆動側ヘリカルギヤ１１に噛合する従動側ヘリカルギヤ１３を、ボールねじ機構１２のスクリューシャフト１２ａの一端に設け、ボールねじ機構１２のナット１４をラック７に固定している。
【００１５】
ステアリングシャフト４には、ステアリングシャフト４の操舵角を検出するための操舵角センサ１５が設けられ、前記ラック＆ピニオン機構（６，７ａ）を収容するステアリングギアボックス（図示略）内には、ピニオン６に作用する操舵トルクを検出するための操舵トルクセンサ（操舵入力検出手段）１６が設けられている。
また、車体の適所には、各前輪９の車輪速を検出するための車輪速センサ１７、車両のヨーレートを検出するためのヨーレートセンサ１８、アクセルペダルの踏み込み量を検出するためのアクセルセンサ１９、ブレーキペダルの踏み込み量を検出するためのブレーキセンサ２０、車両前方を撮影するＣＣＤカメラ２１、車両前方に変調波を発進するミリ波レーダ装置２２、レーンキープ・アシストシステムの作動（ＯＮ）と非作動（ＯＦＦ）を選択するためのモード切替スイッチ２３が取り付けられている。
【００１６】
操舵角センサ１５とヨーレートセンサ１８とアクセルセンサ１９とブレーキセンサ２０は各検出値に対応する電気信号をレーンキープアシスト制御装置（ＬＫＡＳ  ＥＣＵ）３１に出力し、操舵トルクセンサ１６と車輪速センサ１７は各検出値に対応する電気信号をレーンキープアシスト制御装置３１とステアリング制御装置３２に出力する。ＣＣＤカメラ２１は撮像信号を画像処理制御装置（画像処理ＥＣＵ）３３に出力し、画像処理制御装置３３は撮像信号に基づいて道路上の道路区分線（白線）を抽出し、車線情報としてレーンキープアシスト制御装置３１に出力する。ミリ波レーダ装置２２の出力はレーダ出力処理制御装置（レーダ出力処理ＥＣＵ）３４に送られ、レーダ出力処理制御装置３４は、アンテナ（図示略）で受信した受信波とミキシングされて車両進行方向に位置する立体物の有無を判断し、立体物の有無情報としてレーンキープアシスト制御装置３１に出力する。モード切替スイッチ２３はそのＯＮ，ＯＦＦ信号をレーンキープアシスト制御装置３１とステアリング制御装置３２に出力する。
なお、レーンキープアシスト制御装置３１、ステアリング制御装置３２、画像処理制御装置３３、レーダ出力処理制御装置３４はいずれもマイクロコンピュータで構成されており、レーンキープアシスト制御装置３１とステアリング制御装置３２は相互に必要な情報を通信可能に接続されている。
【００１７】
次に、この車両用操舵装置におけるステアリングモータ１０の出力制御を図２のブロック図を参照して説明する。
ＥＰＳアシストトルク算出部４１は、運転者がステアリングホイール３を操作したときの操舵力を補助するために必要なステアリングモータ１０の制御量を算出するものであり、操舵トルクセンサ１６と車輪速センサ１７の各出力信号に基づいて、運転者の操舵力を補助するアシストトルクに対応する目標電流（以下、ＥＰＳアシスト目標電流という）Ｉａを算出する。このＥＰＳアシスト目標電流Ｉａの算出方法は従来の電動パワーステアリングと同じであるので詳細説明は省略するが、概略、操舵トルクが大きくなるにしたがってＥＰＳアシスト目標電流Ｉａが大きくなり、車速が大きくなるにしたがってＥＰＳアシスト目標電流Ｉａが小さくなるように設定される。なお、車速は車輪速センサ１７の出力信号に基づいて算出される。
【００１８】
ＬＫＡＳアシストトルク算出部４２は、車両進行方向道路の車線に沿って車両が走行するように操舵を補助するために必要なステアリングモータ１０の制御量を算出するものであり、車両が車線からの所定位置（例えば、車線の中央）を走行するためのアシストトルクに対応する目標電流（以下、レーンキープアシスト目標電流という）ＩＬを算出する。レーンキープアシスト目標電流ＩＬの算出方法は従来のレーンキープ・アシストシステムと同じであるが、簡単に説明すると、画像処理制御装置３３によりＣＣＤカメラ２１の出力信号が画像処理され、車両進行方向車線から目標点列が求められる。この目標点列から目標ヨーレートを求め、ヨーレートセンサ１８で検出される実ヨーレートが目標ヨーレートとなるように、車線中央からの偏位に応じてアシストトルクを算出し、レーンキープアシスト目標電流ＩＬを算出する。
【００１９】
そして、ＥＰＳアシスト目標電流Ｉａをレーンキープアシスト目標電流ＩＬで補正して目標電流Ｉｔが算出される。なお、実質的には、ステアリングモータ１０の回転方向を含めてＥＰＳアシスト目標電流Ｉａにレーンキープアシスト目標電流ＩＬを加算して目標電流Ｉｔを算出する（Ｉｔ＝Ｉａ＋ＩＬ）。
【００２０】
補正係数算出部４３は、操舵トルクセンサ１６の出力信号のレーンキープアシスト制御装置３１やステアリング制御装置３２への入力に障害（以下、「操舵トルクセンサ入力障害」という）が発生したときに目標電流Ｉｔを補正するための補正係数Ｋを算出するものである。補正係数算出部４３で算出される補正係数については後で詳述する。
そして、ステアリングモータ１０に流れる実電流が目標電流と一致するようにステアリングモータ１０への出力電流を制御し、駆動回路３５を介してステアリングモータ１０に供給することにより、ステアリングモータ１０の出力トルクを制御する。
【００２１】
この実施例において、ＥＰＳアシストトルク算出部４１は、操舵入力検出手段（操舵トルクセンサ１６）で検出された操舵入力（操舵トルク）に応じて転舵アクチュエータ（ステアリングモータ１０）に対する目標制御量（ＥＰＳアシスト目標電流Ｉａ）を算出する第１制御手段を構成する。
また、ＬＫＡＳアシストトルク算出部４２と補正係数算出部４３は、車両と車両進行方向車線との位置関係を認識し該位置関係に応じて算出される補正値（レーンキープアシスト目標電流ＩＬ）に基づいて前記目標制御量（ＥＰＳアシスト目標電流Ｉａ）を補正する第２制御手段を構成する。
【００２２】
また、前述したように、この車両用操舵装置ではモード切替スイッチ２３によってレーンキープ・アシストシステムの作動・非作動を選択可能になっている。
モード切替スイッチ２３をＯＦＦにしてレーンキープ・アシストシステム非作動を選択した場合（以下、ＥＰＳモードという）には、ＬＫＡＳアシストトルク算出部４２はレーンキープアシスト目標電流ＩＬをゼロとし、ＥＰＳアシストトルク算出部４１で算出されるＥＰＳアシスト目標電流Ｉａによりステアリングモータ１０の出力制御が実行される。
【００２３】
一方、モード切替スイッチ２３をＯＮにしてレーンキープ・アシストシステム作動を選択した場合（以下、レーンキープモードという）には、基本的にレーンキープアシストを実行するのであるが、操舵トルクセンサ１６で検出された操舵トルクが予め設定された所定のレーンキープアシスト許可範囲内にあるときには、ＬＫＡＳアシストトルク算出部４２で算出されたレーンキープアシスト目標電流ＩＬによりステアリングモータ１０の出力制御を実行し、操舵トルクセンサ１６で検出された操舵トルクが前記レーンキープアシスト許可範囲から所定時間外れたときにはレーンキープアシストを停止（レーンキープアシスト目標電流ＩＬをゼロ）して、ＥＰＳアシストトルク算出部４１で算出されるＥＰＳアシスト目標電流Ｉａによりステアリングモータ１０の出力制御を実行する。これにより、レーンキープモードのときにも運転者の意志による車線変更や緊急回避などを可能にしている。なお、レーンキープアシスト許可範囲は後述する故障基準範囲よりも大きい範囲に設定されている。
【００２４】
ところで、操舵トルクセンサ１６の出力信号線が破断してショートしたり、あるいは操舵トルクセンサ１６の故障でセンサ出力がゼロになるなどにより操舵トルクセンサ入力障害が発生すると、ステアリング制御装置３２は操舵トルクセンサ１６の検出トルク（すなわち操舵トルク）がほぼゼロであると認識し、ＥＰＳアシストトルク算出部４１はＥＰＳアシスト目標電流Ｉａをほぼゼロに設定する。このようにパワ−アシスト機能が殆ど喪失されているときに、レーンキープアシスト機能によって車両を車線中央方向に戻すように操舵アシストが実行されると、運転者がステアリングホイール３を操作したときに、パワ−アシスト機能が機能していないときよりもさらに繰舵が重く感じられたり、その逆に軽く感じられるなど違和感を覚える場合がある。そこで、この車両用操舵装置では、操舵トルクセンサ入力障害の疑いがあるときには、レーンキープアシスト機能によるステアリングモータ１０の制御量への影響を徐々に低減しながら状況確認を続け、操舵トルクセンサ入力障害の可能性が高いと判断されたときには、レーンキープアシスト機能によるステアリングモータ１０の制御量への影響を完全に停止するようにしている。
【００２５】
以下、操舵トルクセンサ入力障害に対するステアリングモータ１０の目標電流Ｉｔの補正処理について、図３のフローチャートと図４および図５のタイムチャートにしたがって説明する。なお、操舵トルクセンサ１６の出力信号（検出トルク）はステアリングホイール３の回転方向に対応してプラスとマイナスがあるが、図４、図５では検出トルクを絶対値で示している。
まず、ステップＳ１０１においてモード切替スイッチ２３がＯＮか否か（すなわちレーンキープモードか否か）を判定する。ステップＳ１０１における判定結果が「ＮＯ」（ＥＰＳモード）である場合は、目標電流Ｉｔを補正する必要がないのでリターンに進む。この場合、補正係数算出部４３は補正係数Ｋ＝１を算出する。
ステップＳ１０１における判定結果が「ＹＥＳ」である場合はステップＳ１０２に進み、操舵トルクセンサ１６で検出された操舵トルク（以下、検出トルクという）が予め設定した所定の故障基準範囲（基準範囲）内か否かを判定する。前記故障基準範囲は操舵トルクセンサ入力障害の判定基準となる範囲であり、この実施例ではゼロ近傍に設定されている。
【００２６】
ステップＳ１０２における判定結果が「ＮＯ」（故障基準範囲外）である場合は、操舵トルクセンサ入力障害ではなく、目標電流Ｉｔを補正する必要がないのでリターンに進む。この場合、補正係数算出部４３は補正係数Ｋ＝１を算出する。
ステップＳ１０２における判定結果が「ＹＥＳ」（故障基準範囲内）である場合は、ステップＳ１０３に進み、故障カウンタのカウントを開始して、検出トルクが故障基準範囲内に入った時点（図４、図５においてｔ０）からの経過時間ｔを計測する。
【００２７】
次に、ステップＳ１０４に進み、経過時間ｔが予め設定された第１設定時間Ｔ１以上になったか否かを判定する。第１設定時間Ｔ１は、通常の操舵において検出トルクが一時的に故障基準範囲内に入ったときにステップＳ１０５以降の処理が実行されるのを防止するために設定した保持時間である。
ステップＳ１０４における判定結果が「ＮＯ」（ｔ＜Ｔ１）である場合は、目標電流Ｉｔを補正する必要がないのでリターンに進む。この場合、補正係数算出部４３は補正係数Ｋ＝１を算出する。
【００２８】
ステップＳ１０４における判定結果が「ＹＥＳ」（ｔ≧Ｔ１）である場合は、ステップＳ１０５に進み、第１補正モードの処理を実行して、レーンキープアシスト機能に基づくステアリングモータ１０の目標電流Ｉｔへの影響を徐々に低減する。つまり、この時点（時間ｔ１）では、操舵トルクセンサ入力障害と確定するのではなく、操舵トルクセンサ入力障害の疑いがあると判断して、レーンキープアシスト機能に基づくステアリングモータ１０の目標電流Ｉｔへの影響を徐々に低減する。そのために、第１補正モードでは、補正係数算出部４３において、第１設定時間Ｔ１を経過した後の経過時間にしたがって「１」から徐々に減少する補正係数Ｋが算出される。なお、このときに補正係数Ｋを１から０まで減少させてもよいが、この実施例では、補正係数Ｋが所定値Ｋ１に達するとその後は一定となるように設定されている。
【００２９】
そして、ステップＳ１０５の処理を実行した後、ステップＳ１０６に進み、操舵トルクセンサ１６で検出された検出トルクが前記故障基準範囲内か否かを判定する。
ステップＳ１０６における判定結果が「ＹＥＳ」（基準範囲内）である場合は、ステップＳ１０７に進んで前記故障カウンタのカウントを継続し、さらにステップＳ１０８に進んで、経過時間ｔが予め設定された第２設定時間Ｔ２以上になったか否かを判定する。第２設定時間Ｔ２は、操舵トルクセンサ入力障害を確定するための保持時間であり、第１設定時間Ｔ１よりも長い時間に設定されている（Ｔ２＞Ｔ１）。
【００３０】
ステップＳ１０８における判定結果が「ＮＯ」（ｔ＜Ｔ２）である場合は、ステップＳ１０５に戻り、第１補正モードを継続する。
一方、ステップＳ１０８における判定結果が「ＹＥＳ」（ｔ≧Ｔ２）である場合は、ステップＳ１０９に進んで操舵トルクセンサ入力障害であると確定して補正係数Ｋをゼロにし、さらにステップＳ１１０に進み図示しない警告灯を点灯して本ルーチンの実行を終了する。図４は、このように操舵トルクセンサ入力障害が確定される場合のタイムチャートである。
このように、経過時間ｔが第２設定時間Ｔ２以上になったときに操舵トルクセンサ入力障害と確定するので、誤判定を防止することができ、判定精度が高い。そして、操舵トルクセンサ入力障害と判定したときには、補正係数Ｋをゼロにするので、レーンキープアシスト機能に基づくステアリングモータ１０の制御を停止することができる。したがって、操舵トルクセンサ入力障害が発生したときに、レーンキープアシスト機能による操舵違和感を低減することができる。
【００３１】
また、図５のタイムチャートに示すように、第１補正モードの処理を実行しているときであって経過時間ｔが第２設定時間Ｔ２に達する前に操舵トルクセンサ１６の検出トルクが故障基準範囲外となったとき（図５において時間ｔ３）には、ステップＳ１０６における判定結果が「ＮＯ」となって、ステップＳ１１１に進む。
ステップＳ１１１においては、正常復帰モードの処理を実行して、レーンキープアシスト機能に基づくステアリングモータ１０の目標電流Ｉｔへの影響を徐々に増大し、入力障害のない正常時に復帰させていく。そのために、正常復帰モードでは、補正係数算出部４３において、検出トルクが故障基準範囲外となってからの経過時間にしたがって「１」に接近するように徐々に増大する補正係数Ｋが算出される。
また、この実施例では、操舵トルクセンサ１６の検出トルクが故障基準範囲外となった瞬間の検出トルク値に応じて補正係数Ｋの増加率を変えており、前記検出トルク値が大きいほど補正係数Ｋの増加率を大きくしている。これは、故障基準範囲外となったときの操舵トルクが大きいときほど、正常時の状態に復帰するまでの時間を短くするためである。
【００３２】
そして、ステップＳ１１１の処理を実行した後、ステップＳ１１２に進み、補正係数Ｋが「１」か否か、すなわち、補正係数Ｋが「１」まで戻ったか否かを判定する。ステップＳ１１２における判定結果が「ＮＯ」（Ｋ≠１）である場合はステップＳ１０６に戻り、ステップＳ１１２における判定結果が「ＹＥＳ」（Ｋ＝１）である場合はリターンに進む。
【００３３】
図５のタイムチャートについて説明すると、時間ｔ３において操舵トルクセンサ１６の検出トルクが故障基準範囲外となると、正常復帰モードとなり、補正係数Ｋが徐々に増大していく。その後、時間ｔ４において再び操舵トルクセンサ１６の検出トルクが故障基準範囲内になると、再び第１補正モードになって補正係数Ｋを徐々に減少していく。つまり、この場合は、すでに経過時間ｔが第１設定時間を経過しているので、検出トルクが故障基準範囲内になると直ちに補正係数Ｋが減少していく。その後、時間ｔ５において操舵トルクセンサ１６の検出トルクが故障基準範囲外となると、再び正常復帰モードとなり、補正係数Ｋが徐々に増大していく。ただし、時間ｔ３において１回目の正常復帰モードに入るときの検出トルク値よりも、時間ｔ５において２回目の正常復帰モードに入るときの検出トルク値の方が大きいので、２回目の正常復帰モードのときの補正係数Ｋの増加率は１回目の正常復帰モードのときの補正係数Ｋの増加率よりも大きく、正常時への復帰が迅速に行われる。そして、時間ｔ６において補正係数Ｋが「１」に戻り、正常時に戻る。
【００３４】
〔他の実施例〕
なお、この発明は前述した実施例に限られるものではない。
例えば、前述した実施例では操舵トルクセンサ１６の検出トルクが故障基準範囲内に入った時点からの経過時間ｔに応じて補正係数Ｋを減少したが、操舵トルクセンサ１６の検出トルクが故障基準範囲内に入った時点からの検出トルクの積算値に応じて補正係数Ｋを減少するようにしてもよい。
また、前述した実施例では、ＥＰＳアシスト目標電流Ｉａをレーンキープアシスト目標電流ＩＬで補正した目標電流Ｉｔに対して補正係数Ｋを乗じているが、レーンキープアシスト目標電流ＩＬに対して補正係数Ｋを乗じて補正し、この補正後のレーンキープアシスト目標電流（ＩＬ・Ｋ）でＥＰＳアシスト目標電流Ｉａを補正して目標電流Ｉｔを算出してもよい（Ｉｔ＝Ｉａ＋ＩＬ・Ｋ）。勿論、この場合には目標電流Ｉｔに補正係数Ｋを乗じない。
また、第１設定時間Ｔ１を超えた継続時間に応じてステアリングモータ１０の制御量を低減する方法は、前述実施例の乗算による方法に代えて減算による方法を採用することも可能である。
さらに、検出トルクそのものではなく、バンドパスフィルタ等によって、検出トルクの所定周波数帯を用いるようにしてもよい。
【図面の簡単な説明】
【００３５】
【図１】この発明に係る車両用操舵装置の一実施例における概略構成図である。
【図２】前記実施例の車両用操舵装置におけるステアリングモータの出力制御ブロック図である。
【図３】前記実施例の車両用操舵装置におけるステアリングモータの目標電流補正処理を示すフローチャートである。
【図４】操舵トルクセンサ入力障害検出時のタイムチャートの一例である。
【図５】操舵トルクセンサ入力障害検出時のタイムチャートの別の例である。
【符号の説明】
【００３６】
６  前輪（転舵輪）
１０  ステアリングモータ（転舵アクチュエータ）
１６  操舵トルクセンサ（操舵入力検出手段）
４１  ＥＰＳアシストトルク算出部（第１制御手段）
４２  ＬＫＡＳアシストトルク算出部（第２制御手段）
４３  補正係数算出部（第２制御手段）
【図１】
2006240353.tif 000003
【図２】
2006240353.tif 000004
【図３】
2006240353.tif 000005
【図４】
2006240353.tif 000006
【図５】
2006240353.tif 000007